(57)【要約】【課題】液晶パネルの表示の明るさに応じて、電源オン／オフなどを示すＬＥＤの明るさを調整することができる液晶表示装置を提供する。【解決手段】液晶パネル９へ光を照射するバックライト１を流れる管電流をＬＥＤ６へ供給して、管電流によりＬＥＤ６を発光させる。バックライト１の発光量が少ない場合には管電流は少ないため、ＬＥＤ６の発光量が低減される。バックライト１の発光量が多い場合には管電流は多いため、ＬＥＤ６は明るく発光する。よって、バックライト１の明るさ、即ち液晶パネル９の明るさに応じて、ＬＥＤ６の明るさが自動的に調整される。【選択図】図１
2008310045.tif 000002
【特許請求の範囲】
【請求項１】
液晶パネルへ光を照射するバックライトと、装置外部への光を発する発光素子とを備える液晶表示装置において、
前記発光素子は、前記バックライトを流れる電流により発光するようにしてあること
を特徴とする液晶表示装置。
【請求項２】
装置外部の明るさを検知する検知手段と、
該検知手段の検知結果に応じて、前記バックライトを流れる電流の量を調整する調整手段と
を備えることを特徴とする請求項１に記載の液晶表示装置。
【請求項３】
前記バックライトへの給電手段を備え、
前記調整手段は、前記検知手段の検知結果に応じたデューティ比のパルス信号を出力し、前記給電手段を前記パルス信号にて制御するようにしてあること
を特徴とする請求項２に記載の液晶表示装置。
【請求項４】
前記発光素子を複数備える場合に、
各発光素子の点灯／消灯を制御する点灯制御手段と、
前記バックライトへの給電手段と、
該点灯制御手段による前記発光素子の点灯状態に応じて、前記バックライトの故障を検出する故障検出手段と
を備え、
前記故障検出手段が故障を検出した場合に、前記給電手段による前記バックライトへの給電を停止するようにしてあること
を特徴とする請求項１から請求項３までのいずれか一項に記載の液晶表示装置。
【発明の詳細な説明】
【技術分野】
【０００１】
本発明は、装置の電源オン又は動作モード等を示すＬＥＤ（Light Emitting Diode）などの発光素子の明るさを、液晶パネルの明るさに応じて自動的に調整することができる液晶表示装置に関する。
【背景技術】
【０００２】
液晶表示装置は、外部電圧の印加により制御可能な液晶物資により光の透過率を変化させることができる液晶パネルと、液晶パネルの背面に配されて光源をなすバックライトとを備える構成であり、バックライトから照射された光が液晶パネルを透過する透過率を制御することによって、液晶パネルに映像を表示するようにしてある。よって、液晶パネルの表示の明るさはバックライトの発光量を変化させることによって調整することができ、ユーザは好みに応じて液晶表示装置の明るさ設定を調整することができる。また、近年においては、液晶表示装置の周囲の明るさをセンサなどにより検出し、周囲の明るさに応じて自動的に液晶パネルの表示の明るさを変更する液晶表示装置が研究・開発され、実用化されている。
【０００３】
例えば、特許文献１においては、装置の筐体表面にフォトセンシティブ抵抗を配設して外界環境の光線強度を検出して抵抗値を変化させ、フォトセンシティブ抵抗を用いた分圧回路の出力を交流直流変換器に入力してフォトセンシティブ抵抗の抵抗値の変化を検出し、抵抗値の変化に応じてＣＰＵ（Central Processing Unit）がバックライト回路を制御する構成とすることにより、外界環境の光線強度に応じてバックライトの輝度を変化させることができるスクリーン光源調整装置が提案されている。
【０００４】
また、液晶表示装置には筐体の前面部分などに電源のオン／オフ又は装置の動作モード等を示すランプが設けられており、ランプには消費電力、光量及び寿命等の観点からＬＥＤが用いられる場合が多い。これらのＬＥＤを設けることによって、ユーザは液晶表示装置の電源の状態又は動作モード等を容易に認識することができる。
【特許文献１】実用新案登録第３０９１８１７号公報
【発明の開示】
【発明が解決しようとする課題】
【０００５】
従来の液晶表示装置では、ＬＥＤの点灯の制御は液晶パネル及びバックライト等の制御とは独立して行われている。また、従来の液晶表示装置はＬＥＤの明るさを調整する機能は備えておらず、点灯又は消灯の２段階でＬＥＤを制御する構成である場合が多い。よって、上述のように周囲の明るさに応じて液晶パネルの表示の明るさを自動的に変更する機能を液晶表示装置が備える構成の場合に、ユーザが室内の電灯を消灯して周囲を暗くしたときに液晶表示装置は液晶パネルの表示の明るさをバックライトの発光量を変化させることで自動的に調整することができるが、ＬＥＤの発光量を調節することはできない。周囲の明るさ及び液晶パネルの表示の明るさが暗い状況において、ＬＥＤのみが明るく発光している場合、ユーザはＬＥＤがまぶしく液晶パネルが見難いという問題があった。この問題に対して、ＬＥＤの発光量を予め低く設定しておくこともできるが、この場合には周囲が明るい状況において、ユーザはＬＥＤが点灯しているか否かを確認することが難しいという問題が生じる。
【０００６】
本発明は、斯かる事情に鑑みてなされたものであって、その目的とするところは、バックライトを流れる電流によりＬＥＤを発光させる構成とすることによって、バックライトの明るさに応じてＬＥＤの明るさを自動的に変化させることができる液晶表示装置を提供することにある。
【課題を解決するための手段】
【０００７】
本発明に係る液晶表示装置は、液晶パネルへ光を照射するバックライトと、装置外部への光を発する発光素子とを備える液晶表示装置において、前記発光素子は、前記バックライトを流れる電流により発光するようにしてあることを特徴とする。
【０００８】
また、本発明に係る液晶表示装置は、装置外部の明るさを検知する検知手段と、該検知手段の検知結果に応じて、前記バックライトを流れる電流の量を調整する調整手段とを備えることを特徴とする。
【０００９】
また、本発明に係る液晶表示装置は、前記バックライトへの給電手段を備え、前記調整手段は、前記検知手段の検知結果に応じたデューティ比のパルス信号を出力し、前記給電手段を前記パルス信号にて制御するようにしてあることを特徴とする。
【００１０】
また、本発明に係る液晶表示装置は、前記発光素子を複数備える場合に、各発光素子の点灯／消灯を制御する点灯制御手段と、前記バックライトへの給電手段と、該点灯制御手段による前記発光素子の点灯状態に応じて、前記バックライトの故障を検出する故障検出手段とを備え、前記故障検出手段が故障を検出した場合に、前記給電手段による前記バックライトへの給電を停止するようにしてあることを特徴とする。
【００１１】
本発明においては、液晶パネルへの光を発するバックライトを流れる電流、所謂管電流を、電源オン／オフなどを示すために外部への光を発するＬＥＤなどの発光素子に供給することによって、発光素子を発光させる。換言すれば、バックライトに直列に発光素子を接続する構成とすればよい。液晶パネルの表示の明るさはバックライトの発光量で調整されるが、これによりバックライトの管電流が変化する。即ち、液晶パネルの表示が暗くバックライトの発光量が少ない場合には管電流は少なく、液晶パネルの表示が明るくバックライトの発光量が多い場合には管電流は多い。よって、バックライトの明るさに応じて発光素子へ供給される管電流が増減するため、バックライトの発光量に応じて発光素子の発光量を変化させることができる。即ち、バックライトの発光量が少ない場合には発光素子の発光量を少なく、バックライトの発光量が多い場合には発光素子の発光量を多くすることができる。
【００１２】
また、本発明においては、液晶表示装置の外部の明るさを検知し、外部の明るさに応じてバックライトを流れる電流の量の調整を行う。これにより、外部の明るさに応じて液晶パネルの明るさを調整することができる。また、上述のように、発光素子に供給される電流の量を調整することができるため、発光素子の発光量を外部の明るさに応じて調整することができる。
【００１３】
また、本発明においては、検知した外部の明るさに応じたデューティ比のパルス信号を生成する。バックライトへの電力供給を例えばインバータ回路を用いて行う場合に、生成したパルス信号をインバータ回路へ入力することによってインバータ回路の制御を行うことができ、バックライトへの供給される電力量を調整して、バックライトの管電流を調整することができる。
【００１４】
また、本発明においては、バックライトの故障を検出してバックライトへの給電を停止する。バックライトの故障の検出はバックライトの管電流が流れる検出用抵抗に加わる電圧値などを測定することによって行うことができる。ただし、バックライトの管電流を発光素子に供給する構成であるため、発光素子を複数備える場合には、各発光素子が点灯しているか否かに応じて検出用抵抗に加わる電圧値が変化する虞がある。よって、各発光素子の点灯状態を考慮して故障の検出を行うことによって、誤検出の発生を防止することができる。
【発明の効果】
【００１５】
本発明による場合は、バックライトを流れる電流により発光素子を発光させる構成とすることによって、バックライトの明るさに応じて発光素子へ供給される管電流が増減し、バックライトの発光量に応じて発光素子の発光量を変化させることができるため、液晶パネルの表示の明るさに応じて発光素子の明るさを調整することができる。よって、周囲が暗く、液晶パネルの表示が暗い状況において、ユーザは発光素子の発光により液晶パネルに表示された映像の視聴を妨げられることがなく、液晶表示装置による快適な映像の視聴を実現することができる。また、従来の液晶表示装置ではバックライトと発光素子とを別に駆動しており、発光素子への電力供給を別に行う必要があったが、本発明の液晶表示装置では発光素子をバックライトの管電流を用いて発光させることができるため、発光素子のための電力供給手段を別に搭載する必要がなく、回路規模を縮小することができると共に、消費電力を低減することができる。
【発明を実施するための最良の形態】
【００１６】
以下、本発明をその実施の形態を示す図面に基づき具体的に説明する。図１は、本発明に係る液晶表示装置の構成を示す回路図であり、バックライトの点灯に関係する回路のみを抽出して図示してある。図において１はバックライトであり、液晶表示装置には複数のバックライト１が液晶パネル９の裏面に配設してある。バックライト１が液晶パネル９へ光を照射し、液晶パネル９の各画素が光の透過率を変化させることによって、液晶表示装置は液晶パネル９に映像を表示することができる。
【００１７】
複数のバックライト１は並列に接続してある。液晶表示装置はバックライト１に電力を供給して駆動するインバータ回路４を備えており、インバータ回路４の出力が並列接続されたバックライト１の一側（入力側）に接続してある。また、液晶表示装置は外部の明るさを検知してバックライト１の明るさを変化させる機能を有しており、この機能を実現するために外部の光を検知する光検知部２と、この検知結果に応じてインバータ回路４を制御するＰＷＭ（Pulse Width Modulation）回路３とを備えている。
【００１８】
光検知部２は、例えばＣｄＳ（硫化カドミウム）などの光の受光量に応じて抵抗値が変化する検知素子２ａと抵抗Ｒ２とを設置電位及び電源電位の間に直列に接続して構成することができる。検知素子２ａは、液晶表示装置の筐体の表面部分などに配設されて、筐体外部の光を受光できるようにしてある。また、検知素子２ａは、光の受光量が多い場合には抵抗値が低く、受光量が少ない場合には抵抗値が高くなるように変化する。よって、抵抗Ｒ２の抵抗値及び検知素子２ａの抵抗値の比により分圧された電圧を光検知部２の出力とすることにより、光の受光量が多い場合には出力電圧値が低く、受光量が少ない場合には出力電圧値が高くなる。光検知部２の出力電圧は光の検知結果としてＰＷＭ変換回路３に入力される。
【００１９】
ＰＷＭ変換回路３は、入力された電圧値に応じたパルス幅のパルス信号を出力する回路である。図２は、ＰＷＭ変換回路３の一構成例を示す回路図であり、図３は、ＰＷＭ変換回路３の動作を説明するための模式図である。ＰＷＭ変換回路３は、アンプ３１、抵抗Ｒ３０及び三角波発生回路３２を有している。ＰＷＭ変換回路３は、光検知部２の出力電圧はアンプ３１の非反転入力端子に入力され、三角波発生回路３２が出力する三角波が抵抗Ｒ３０を介してアンプ３１の反転入力端子に入力された構成である。
【００２０】
三角波発生回路３２は、一定周期の三角波を出力する回路であり、２つのアンプ３３及び３４、３つの抵抗Ｒ３１、Ｒ３２及びＲ３３、並びに１つのコンデンサＣ３０等により構成してある。アンプ３４は、反転入力端子が接地電位に接続してあり、出力端子が抵抗Ｒ３２を介して非反転入力端子に接続してある。また、アンプ３４の出力端子は抵抗Ｒ３１を介してアンプ３３の反転入力端子に接続してある。アンプ３３は、非反転入力端子が接地電位に接続してあり、出力端子がコンデンサＣ３０を介して反転入力端子に接続してある。また、アンプ３３の出力端子は抵抗Ｒ３３を介してアンプ３４の非反転入力端子に接続してある。この三角波発生回路３２は、アンプ３４によるシュミット回路と、アンプ３３による積分回路とを組み合わせたものであり、アンプ３３が三角波を出力する。三角波発生回路３２が出力する三角波（図２中のＡ点での波形）が図３（ｂ）に示してある。
【００２１】
ＰＷＭ変換回路３のアンプ３１は、２つの電圧を比較する比較器として動作するものであり、非反転入力端子に入力された基準の電圧より反転入力端子に入力された電圧が高い場合には”Ｌ”を出力し、非反転入力端子に入力された基準の電圧より反転入力端子に入力された電圧が低い場合には”Ｈ”を出力するようにしてある。図３（ａ）には光検知部２からアンプ３１の非反転入力端子に入力される入力電圧の一例が示してあり、このときのアンプ３１の出力電圧（ＰＷＭ信号）を図３（ｃ）に示してある。図示のように、光検知部２の出力電圧を三角波発生回路３２の三角波が超える場合にはアンプ３１が”Ｌ”を出力し、超えない場合には”Ｈ”を出力するため、ＰＷＭ信号のデューティ比が変化し、光検知部２からの入力電圧が高い場合に”Ｌ”期間が短いパルス信号となり、入力電圧が低い場合に”Ｌ”期間が長いパルス信号となる。即ち、ＰＷＭ変換回路３は、液晶表示装置の外部が暗い場合に”Ｌ”期間が短いパルス信号を出力し、外部が明るい場合に”Ｌ”期間が長いパルス信号を出力するようにしてある。
【００２２】
ＰＷＭ変換回路３が出力するパルス信号は、インバータ回路４に入力されて、インバータ回路４の動作を制御するようにしてある。インバータ回路４は、振幅が数千Ｖの発振電圧を生成してバックライト１に与えることによって、バックライト１を点灯させる回路である。図４は、インバータ回路４の一構成例を示す回路図である。インバータ回路４は、振幅が数十Ｖの発振電圧を生成する発振回路４７、生成された発振電圧を昇圧する昇圧トランス４０、及び発振回路４７による発振電圧の生成を停止させる停止制御回路４５等により構成してある。また、インバータ回路４には約１２Ｖの電源が供給されており、電源及び接地電位の間にコンデンサＣ４１が設けてある。
【００２３】
発振回路４７は、ＮＰＮ型のトランジスタＴｒ４２、抵抗Ｒ４３〜Ｒ４６及びコンデンサＣ４２、Ｃ４３等により構成されている。抵抗Ｒ４３及びＲ４４は電源及び接地電位の間に直列に接続してあり、抵抗Ｒ４３及びＲ４４の中点がトランジスタＴｒ４２のベースに接続してある。直列に接続されたコンデンサＣ４２及びＣ４３は、抵抗Ｒ４４に並列に接続してある（即ち、トランジスタＴｒ４２及び接地電位の間に、コンデンサＣ４２及びＣ４３が直列に接続してある）。抵抗Ｒ４５及びＲ４６は、トランジスタＴｒ４２のエミッタ及び接地電位の間に直列に接続してあり、抵抗Ｒ４５及びＲ４６の中点とコンデンサＣ４２及びＣ４３の中点とが接続してある。また、トランジスタＴｒ４２のコレクタは、昇圧トランス４０の一次巻線４１に接続してある。
【００２４】
昇圧トランス４０は、一次巻線４１及び二次巻線４２の巻数比に応じて交流電圧（電流）の昇圧を行うものである。一次巻線４１の一端は電源に接続してあり、他端は発振回路４７のトランジスタＴｒ４２のコレクタに接続してある。一次巻線４１の両端はコンデンサＣ４４を介して接続してある。また、二次巻線４２の一端はインバータ回路４の出力としてあり、他端は接地電位に接続してある。二次巻線４２の両端はコンデンサＣ４５を介して接続してある。発振回路４７は、昇圧トランス４０の一次巻線４１及びコンデンサＣ４４の共振を利用して発振を行うようにしてある。
【００２５】
発振回路４７にて一次巻線４１に生じた数十Ｖの発振電圧により、昇圧トランス４０の二次巻線４２には振幅が数千Ｖの発振電圧が生じ、数千Ｖの発振電圧がインバータ回路４から出力され、この発振電圧の供給によりバックライト１が点灯する。ただし、インバータ回路４は発振電圧を間歇的に出力するようにしてあり、発振電圧の出力期間を変化させることによってバックライト１の点灯の明るさを変化させることができるようにしてある。インバータ回路４の間歇的な発振動作はＰＷＭ変換回路３のＰＷＭ信号により制御されており、インバータ回路４はＰＷＭ信号が”Ｌ”の場合に発振電圧を出力し、”Ｈ”の場合に発振を停止するようにしてある。
【００２６】
インバータ回路４は、停止制御回路４５によりＰＷＭ変換回路３からのＰＷＭ信号に応じて発振回路４７の動作を停止させるようにしてある。停止制御回路４５は、ＮＰＮ型のトランジスタＴｒ４１及び抵抗Ｒ４１、Ｒ４２等で構成してある。ＰＷＭ変換回路３からのＰＷＭ信号は、抵抗Ｒ４１を介してトランジスタＴｒ４１のベースに入力されている。トランジスタＴｒ４１のベースは抵抗Ｒ４２を介して接地電位に接続してあり、エミッタは接地電位に接続してある。また、トランジスタＴｒ４１のコレクタは、発振回路４７のトランジスタＴｒ４２のベースに接続してある。これにより、ＰＷＭ信号が”Ｈ”の場合にトランジスタＴｒ４１がオンしてトランジスタＴｒ４２のベース電位を低下させるため、発振回路４７の発振を停止させることができる。
【００２７】
図５は、インバータ回路４の動作を説明するための模式図であり、（ａ）に停止制御回路４５に入力されるＰＷＭ信号を示し、（ｂ）に発振回路４７による発振波形（トランジスタＴｒ４２のコレクタ側の波形）を示し、（ｃ）にインバータ回路４の出力波形を示してある。図示のように、ＰＷＭ信号が”Ｌ”の場合に発振回路４７が動作してインバータ回路４が発振電圧を出力し、ＰＷＭ信号が”Ｈ”の場合に発振回路４７が停止してインバータ回路４は発振電圧を出力しない。上述のように、ＰＷＭ変換回路３は、液晶表示装置の外部が暗い場合に”Ｌ”期間が短いＰＷＭ信号を出力し、外部が明るい場合に”Ｌ”期間が長いＰＷＭ信号を出力するため、外部が明るいほどインバータ回路４は長期間に亘って発振電圧を出力し、バックライト１が明るく発光する。
【００２８】
インバータ回路４から振幅が数千Ｖの発振電圧が与えられたバックライト１は点灯し、バックライト１には点灯に伴って電流（所謂、管電流）が流れる。バックライト１の管電流は、抵抗Ｒ６を介して一又は複数のＬＥＤ６に与えられると共に、エラー検出用の抵抗Ｒ５に与えられる。即ち、直列に接続された抵抗Ｒ６及びＬＥＤ６がスイッチ部７に複数接続されてＬＥＤ点灯部８を構成し、バックライト１及びＬＥＤ点灯部８がインバータ回路４及び接地電位の間に直列に接続してあると共に、ＬＥＤ点灯部８に並列にエラー検出用の抵抗Ｒ５が接続してある。これにより、液晶表示装置に備えられたＬＥＤ６は、バックライト１の管電流により点灯することができる。
【００２９】
ＬＥＤ６は、液晶表示装置の筐体の前面部分などに配されて筐体の外側へ光を放出し、液晶表示装置の電源のオン／オフ又は装置の動作モード等をユーザに知らせるためのランプとして用いられる。ＬＥＤ６の点灯／消灯は、液晶表示装置の動作モードなどに応じて制御部１０にて判断され、制御部１０がスイッチ部７に切替信号を与えることで制御するようにしてある。スイッチ部７はＬＥＤ６への管電流の導通／非導通を個別に切り替えることができるようにしてあり、ＬＥＤ６の点灯／消灯を個別に制御することができるようにしてある。
【００３０】
バックライト１を流れる管電流の電流量は、バックライト１の明るさに応じて増減する。よって、光検知部２の検知結果に応じてＰＷＭ変換回路３及びインバータ回路４によりバックライト１の明るさが調整された場合には、これに伴ってバックライト１の管電流が増減する。また、バックライト１の管電流の増減に伴って、ＬＥＤ６に供給される電流の電流量が増減する。バックライト１の明るさが増加された場合には管電流は増加し、ＬＥＤ６に供給される電流の電流量が増加するため、ＬＥＤ６の明るさが増加される。また、バックライト１の明るさが低減された場合には管電流は減少し、ＬＥＤ６に供給される電流の電流量が減少するため、ＬＥＤ６の明るさは低減される。よって、液晶パネル９の表示が明るい場合にはＬＥＤ６が明るく点灯し、液晶パネル９の表示が暗い場合にはＬＥＤ６が暗く点灯する。
【００３１】
また、液晶表示装置は、バックライト１の故障などを検出するためのエラー検出部５を備えている。エラー検出部５は、ＬＥＤ点灯部８に並列に接続されたエラー検出用の抵抗Ｒ５に流れる電流の電流値又は抵抗Ｒ５に加わる電圧値等を測定して、測定結果と予め定められた閾値とを比較することによって、エラーを検出するようにしてある。エラー検出部５は検出結果を制御部１０へ通知するようにしてある。
【００３２】
ただし、液晶表示装置がＬＥＤ６を複数備えている場合、ＬＥＤ６の点灯数によりエラー検出部５の測定結果が変化する。例えば、ＬＥＤ６の点灯数が多い場合には抵抗Ｒ５を流れる電流量が低下し、抵抗Ｒ５に加わる電圧が低下する。このため、制御部１０はＬＥＤ６の点灯数を通知する制御信号をエラー検出部５に与えるようにしてあり、エラー検出部５は制御部１０からの制御信号に応じて検出のための閾値を変更するようにしてある。
【００３３】
また、本実施の形態の液晶表示装置は上述のように光検知部２の検知結果に応じてバックライト１の明るさを調整する機能を有しているため、バックライト１の管電流の電流量が変化する。よって、エラー検出部５が検出に用いる閾値は、この場合の管電流の電流量の変化を考慮したものであることが好ましい。例えば、抵抗Ｒ５に加わる電圧の上限値及び下限値の２つの閾値を予め記憶しておき、この上限値及び下限値の範囲内に抵抗Ｒ５に加わる電圧値が収まるか否かによりエラーの検出を行う構成とすることができる。又は、光検知部２の検知結果を制御部１０に通知し、制御部１０が検知結果に応じてエラー検知部５を制御して、エラー検出のための閾値を変更する構成としてもよい。
【００３４】
また、制御部１０は、エラー検出部５によりエラーが検出された場合には、インバータ回路４の動作を停止させてバックライト１を消灯するようにしてある。図４に示したインバータ回路４の回路図には、制御部１０の制御により発振を停止する回路は図示を省略してあるが、この回路はＰＷＭ信号により発振を停止する停止制御回路４５と同様の回路を用いることで実現できる。ただし、停止制御回路４５と異なる構成の回路であってもよい。
【００３５】
図６は、本発明に係る液晶表示装置の制御部１０が行う処理の手順を示すフローチャートであり、液晶表示装置のバックライト１及びＬＥＤ６の制御に係る処理を示してある。まず制御部１０は、例えばユーザの操作により液晶表示装置の動作モードの切替などが行われて、ＬＥＤ６の点灯／消灯を切り替える必要のある動作状態の変化があったか否かを調べる（ステップＳ１）。状態変化がある場合には（Ｓ１：ＹＥＳ）、制御部１０はスイッチ部７を制御してＬＥＤ６の点灯／消灯を切り替えるスイッチ切替をおこない（ステップＳ２）、切替内容をエラー検出部５へ通知し（ステップＳ３）、ステップＳ１へ戻る。これにより、エラー検出回路５は判定の閾値を変更して適切なエラー検出を行うことができる。
【００３６】
また、ステップＳ１にて状態変化がない場合には（Ｓ１：ＮＯ）、更に制御部１０はエラー検出部５にてエラーが検出されたか否かを調べる（ステップＳ４）。エラーが検出されない場合（Ｓ４：ＮＯ）、制御部１０はステップＳ１へ戻って、状態の変化又はエラーの検出があるまで待機する。エラーが検出された場合（Ｓ４：ＹＥＳ）、制御部１０はインバータ回路４の動作を停止して（ステップＳ５）、バックライト１を消灯し、処理を終了する。
【００３７】
以上の構成の液晶表示装置においては、液晶表示装置のバックライト１及びＬＥＤ６を直列に接続することによって、バックライト１を流れる管電流によりＬＥＤ６を点灯することができる。よって、光検知部２、ＰＷＭ変換回路３及びインバータ回路４によりバックライト１の明るさが調整された場合には、バックライト１を流れる管電流の電流量が変化し、これに伴ってＬＥＤ６を流れる管電流の電流量が変化するため、ＬＥＤ６の明るさがバックライト１の明るさに応じて調整される。よって、周囲が暗い状態ではバックライト１による液晶パネル９の表示の明るさが低減されると共に、電源オン／オフなどを示すＬＥＤ６の明るさが低減されるため、ユーザは液晶表示装置による快適な映像の視聴を行うことができる。
【００３８】
また、バックライト１の管電流をＬＥＤ６の駆動電流とすることができるため、ＬＥＤ６を点灯させるための専用の電力供給源を液晶表示装置が搭載する必要がない。よって、従来の液晶表示装置と比較して、回路規模を縮小することができると共に、消費電力を低減することができる。また、液晶表示装置がＬＥＤ６を複数備える場合には、各ＬＥＤ６の点灯／消灯の状態を考慮してエラー検出部５がエラー検出を行う構成とすることにより、バックライト１の故障検出を確実に行うことができる。
【００３９】
なお、本実施の形態においては、液晶表示装置がエラー検出部５を備えてバックライト１の故障を検出する構成としたが、これに限るものではなく、液晶表示装置がエラー検出部５を備えず、バックライト１の故障検出を行わない構成としてもよい。また、エラー検出部５によりエラーが検出された場合に、制御部１０がインバータ回路４を停止する構成としたが、これに限るものではなく、エラーが検出された場合に、例えば警告音を出力する又は液晶パネル９にエラーメッセージを表示する等の他の処理を行ってもよい。また、図２に示したＰＷＭ変換回路３の回路構成は一例であってこれに限るものではなく、同様に図４に示したインバータ回路４の回路構成は一例であってこれに限るものではない。
【図面の簡単な説明】
【００４０】
【図１】本発明に係る液晶表示装置の構成を示す回路図である。
【図２】ＰＷＭ変換回路の一構成例を示す回路図である。
【図３】ＰＷＭ変換回路の動作を説明するための模式図である。
【図４】インバータ回路の一構成例を示す回路図である。
【図５】インバータ回路の動作を説明するための模式図である。
【図６】本発明に係る液晶表示装置の制御部が行う処理の手順を示すフローチャートである。
【符号の説明】
【００４１】
１  バックライト
２  光検知部（検知手段）
２ａ  検知素子
３  ＰＷＭ変換回路（調整手段）
４  インバータ回路（印加手段）
５  エラー検出部（故障検出手段）
６  ＬＥＤ（発光素子）
７  スイッチ部
８  ＬＥＤ点灯部
９  液晶パネル
１０  制御部（点灯制御手段）
【図１】
2008310045.tif 000003
【図２】
2008310045.tif 000004
【図３】
2008310045.tif 000005
【図４】
2008310045.tif 000006
【図５】
2008310045.tif 000007
【図６】
2008310045.tif 000008